(57)【要約】【課題】信号ロスを抑制したアンテナ保護装置およびそれを用いた無線通信機器を提供することを目的としている。【解決手段】アンテナ端子１１に接続する保護回路１２を備え、この保護回路１２は、コンデンサ成分１３を並列に有するバリスタ１４と、このバリスタ１４に接続したπ型フィルタ部１５とからなり、バリスタ１４の一端には、π型フィルタ部１５のコンデンサ１６の一端を接続して、π型フィルタ部１５にバリスタ１４のコンデンサ成分１３を取り込むようにし、バリスタ１４のコンデンサ成分１３とπ型フィルタ部１５のコイル１７とを共振させた構成である。【選択図】  図１
2005027074.tif 000002
【特許請求の範囲】
【請求項１】
アンテナ端子に接続する保護回路を備え、前記保護回路は、コンデンサ成分を並列に有するバリスタと、コイルとを並列接続し、前記バリスタおよび前記コイルの一端を前記アンテナ端子に接続するとともに、前記バリスタおよび前記コイルの他端をアースに接続しており、前記バリスタのコンデンサ成分と前記コイルとを共振させたアンテナ保護装置。
【請求項２】
保護回路は、コンデンサ成分を並列に有するバリスタと、前記バリスタに接続したπ型フィルタ部とからなり、前記バリスタは、その一端を前記π型フィルタ部に接続し、その他端をアースに接続しており、前記π型フィルタ部は、コンデンサと、前記コンデンサの両端部に一端を接続し、アースに他端を接続したコイルとを有しており、前記バリスタの一端と前記π型フィルタ部のコンデンサの一端とを接続してなるとともに、前記π型フィルタ部に前記バリスタのコンデンサ成分を取り込み、前記バリスタのコンデンサ成分と前記π型フィルタ部のコイルとを共振させ、前記π型フィルタ部と前記バリスタのコンデンサ成分とによりバンドパスフィルタ部を形成した請求項１記載のアンテナ保護装置。
【請求項３】
前記アンテナ端子には前記バリスタの一端を接続した請求項１記載のアンテナ保護装置。
【請求項４】
アンテナ端子を有するアンテナと、送受信回路部と、前記送受信回路部に接続した本体回路部とを備え、前記アンテナ端子と前記送受信回路部との間に請求項１記載のアンテナ保護装置を接続した無線通信機器。
【発明の詳細な説明】
【０００１】
【発明の属する技術分野】
本発明は、アンテナを有する各種電子機器等に用いるアンテナ保護装置およびそれを用いた無線通信機器に関するものである。
【０００２】
【従来の技術】
以下、従来のアンテナ保護装置について、図面を参照しながら説明する。
【０００３】
図６は従来のアンテナ保護装置のブロック図である。図６において、従来のアンテナ保護装置は、ＲＦフィルタとして誘電体フィルタを用いた送受信回路部１とアンテナ端子２との間に接続した保護回路３からなる。
【０００４】
保護回路３には、静電気や雷に起因するサージ電圧から誘電体フィルタを保護するためのバリスタ４を設けており、このバリスタ４は付随的に生じる内部コンデンサ成分５を並列に接続していた。
【０００５】
近年は、性能向上と小型化のため、ＲＦフィルタとしてＳＡＷフィルタを用いる場合も増えている。但し、ＳＡＷフィルタを用いた場合は、静電気や雷に起因するサージ電圧に対してＳＡＷフィルタの耐電圧性が小さいので、誘電体フィルタを用いた場合よりも保護効果の大きい保護回路３が必要となる。
【０００６】
なお、この出願の発明に関連する先行技術文献情報としては、例えば、特許文献１が知られている。
【０００７】
【特許文献１】
特開２００３−１０１４３４号公報
【０００８】
【発明が解決しようとする課題】
上記構成では、バリスタ４の内部に付随的に生じる内部コンデンサ成分５によって、信号ロスが生じる。そのため、この保護回路３を無線通信機器等に用いた場合は、受信時には感度の低下や通信距離の低下が生じたり、送信時には消費電力が増えて電池等の寿命が短くなったりするという問題点を有していた。
【０００９】
本発明は上記問題点を解決し、信号ロスを抑制したアンテナ保護装置およびそれを用いた無線通信機器を提供することを目的としている。
【００１０】
【課題を解決するための手段】
上記目的を達成するために本発明は、以下の構成を有する。
【００１１】
本発明の請求項１に記載の発明は、特に、保護回路は、コンデンサ成分を並列に有するバリスタと、コイルとを並列接続し、前記バリスタおよび前記コイルの一端をアンテナ端子に接続するとともに、前記バリスタおよび前記コイルの他端をアースに接続しており、前記バリスタのコンデンサ成分と前記コイルとを共振させた構成である。
【００１２】
上記構成により、バリスタに付随的に生じるコンデンサ成分は、コンデンサ成分単体として作用するのではなく、コイルと組み合わさってフィルタの一部として構成され、コイルと共振させられるので、コンデンサ成分に起因した信号ロスを抑制することができる。
【００１３】
本発明の請求項２に記載の発明は、特に、保護回路は、コンデンサ成分を並列に有するバリスタと、前記バリスタに接続したπ型フィルタ部とからなり、前記バリスタは、その一端を前記π型フィルタ部に接続し、その他端をアースに接続しており、前記π型フィルタ部は、コンデンサと、前記コンデンサの両端部に一端を接続し、アースに他端を接続したコイルとを有しており、前記バリスタの一端と前記π型フィルタ部のコンデンサの一端とを接続してなるとともに、前記π型フィルタ部に前記バリスタのコンデンサ成分を取り込み、前記バリスタのコンデンサ成分と前記π型フィルタ部のコイルとを共振させ、前記π型フィルタ部と前記バリスタのコンデンサ成分とによりバンドパスフィルタ部を形成した構成である。
【００１４】
上記構成により、バリスタに付随的に生じるコンデンサ成分はコイルと共振させられるので、コンデンサ成分に起因した信号ロスを抑制することができる。
【００１５】
特に、コイルはπ型フィルタ部の一部を構成しており、π型フィルタ部とバリスタのコンデンサ成分とによりバンドパスフィルタ部を形成することができるので、必要に応じた帯域の減衰特性を得ることもできる。
【００１６】
本発明の請求項３に記載の発明は、特に、アンテナ端子にはバリスタの一端を接続した構成である。
【００１７】
上記構成により、アンテナ端子には、最初にバリスタを接続しているので、電圧降下を的確にできる。
【００１８】
本発明の請求項４に記載の発明は、無線通信機器であって、特に、アンテナと送受信回路部との間にアンテナ保護装置を接続した構成である。
【００１９】
上記構成により、バリスタに付随的に生じるコンデンサ成分はコイルと共振させられるので、コンデンサ成分に起因した信号ロスを抑制することができる。特に、無線通信機器等に用いた場合でも、受信時における感度の低下や通信距離の低下を抑制し、送信時における消費電力の増加に起因した電池等の寿命の低下も抑制することができる。
【００２０】
【発明の実施の形態】
以下、発明の実施の形態を用いて、本発明の全請求項に記載の発明について図面を参照しながら説明する。
【００２１】
図１は本発明の一実施の形態におけるアンテナ保護装置の等価回路図、図２は同アンテナ保護装置を用いた無線通信機器の等価回路図である。
【００２２】
図１において、本発明の一実施の形態におけるアンテナ保護装置は、アンテナ端子１１に接続する保護回路１２を備え、この保護回路１２は、コンデンサ成分１３を並列に有するバリスタ１４と、このバリスタ１４に接続したπ型フィルタ部１５とからなる。
【００２３】
一般に、バリスタ１４はその内部にコンデンサ成分１３を有しており、回路的には、バリスタ１４と並列にコンデンサ成分１３が接続されたものとなる。
【００２４】
また、バリスタ１４は、その一端をπ型フィルタ部１５に接続するとともにアンテナ端子１１に接続し、その他端をアースに接続している。π型フィルタ部１５は、コンデンサ１６と、このコンデンサ１６の両端部に一端を接続し、アースに他端を接続したコイル１７とを有している。
【００２５】
バリスタ１４の一端には、π型フィルタ部１５のコンデンサ１６の一端を接続して、π型フィルタ部１５にバリスタ１４のコンデンサ成分１３を取り込むようにし、バリスタ１４のコンデンサ成分１３とπ型フィルタ部１５のコイル１７とを共振させている。
【００２６】
そして、π型フィルタ部１５とバリスタ１４のコンデンサ成分１３とによりバンドパスフィルタ部１８を形成している。
【００２７】
さらに、このようなアンテナ保護装置を用いた無線通信機器として、図２に示すものがある。
【００２８】
アンテナ端子１１を有するアンテナ１９と、送受信回路部２０と、この送受信回路部２０に接続した本体回路部２１とを備え、アンテナ端子１１と送受信回路部２０との間に上記のアンテナ保護装置を接続している。
【００２９】
上記構成により、バリスタ１４に付随的に生じるコンデンサ成分１３はコイル１７と共振させられるので、コンデンサ成分１３に起因した信号ロスを抑制することができる。
【００３０】
特に、コイル１７はπ型フィルタ部１５の一部を構成しており、π型フィルタ部１５とバリスタ１４のコンデンサ成分１３とによりバンドパスフィルタ部１８を形成することができるので、必要に応じた帯域の減衰特性を得ることもできる。
【００３１】
バリスタ１４とπ型フィルタ部１５のコイル１７とを互いに５ｍｍ程度の距離まで近接すれば、より良好なフィルタ特性を得ることができる。
【００３２】
また、アンテナ端子１１には、最初にバリスタ１４を接続しているので、静電気や雷に起因するサージ電圧の電圧降下を的確にできる。特に、図３に示すように、まず、バリスタ１４によって、静電気や雷に起因するサージ電圧を急激に電圧降下させ、その後、π型フィルタ部１５のコイル１７によって、サージ電圧の持つエネルギーを緩和して電圧を降下させ、的確に電圧降下を図れる（２２はサージ電圧を電圧降下させなかった場合の特性波であり、２３はサージ電圧を電圧降下させた場合の特性波を表している）。図４、図５は、それぞれ、バリスタ１４とコイル１７の単体での電圧降下の状態を示している（２２はサージ電圧を電圧降下させなかった場合の特性波であり、２３はサージ電圧を電圧降下させた場合の特性波を表している）。
【００３３】
さらに、このようなアンテナ保護装置を無線通信機器に用いた場合は、受信時における感度の低下や通信距離の低下を抑制し、送信時における消費電力の増加に起因した電池等の寿命の低下を抑制することができる。
【００３４】
このように本発明の一実施の形態によれば、バリスタ１４に付随的に生じるコンデンサ成分１３は、コンデンサ成分１３の単体として作用するのではなく、コイル１７と組み合わさってフィルタの一部を構成し、コイル１７と共振させられるので、コンデンサ成分１３に起因した信号ロスを抑制することができる。また、このアンテナ保護装置を無線通信機器等に用いた場合、受信時には、感度の低下や通信距離の低下を抑制し、送信時には、消費電力の増加を抑制して、電池等の寿命を伸ばすことができる。
【００３５】
【発明の効果】
以上のように本発明によれば、バリスタに付随的に生じるコンデンサ成分は、コンデンサ成分単体として作用するのではなく、コイルと組み合わさってフィルタの一部として構成され、コイルと共振させられるので、コンデンサ成分に起因した信号ロスを抑制したアンテナ保護装置を提供することができる。
【００３６】
また、このアンテナ保護装置を無線通信機器等に用いた場合、受信時には、感度の低下や通信距離の低下を抑制し、送信時には、消費電力の増加を抑制して、電池等の寿命を伸ばすことができる。
【図面の簡単な説明】
【図１】本発明の一実施の形態におけるアンテナ保護装置の等価回路図
【図２】同アンテナ保護装置を用いた無線通信機器の等価回路図
【図３】同アンテナ保護装置によるサージ電圧の電圧降下を示す特性図
【図４】同アンテナ保護装置のバリスタによる電圧の電圧降下を示す特性図
【図５】同アンテナ保護装置のコイルによる電圧の電圧降下を示す特性図
【図６】従来のアンテナ保護装置のブロック図
【符号の説明】
１１  アンテナ端子
１２  保護回路
１３  コンデンサ成分
１４  バリスタ
１５  π型フィルタ部
１６  コンデンサ
１７  コイル
１８  バンドパスフィルタ部
１９  アンテナ
２０  送受信回路部
２１  本体回路部
２２  サージ電圧を電圧降下させなかった場合の特性波
２３  サージ電圧を電圧降下させた場合の特性波
【図１】
2005027074.tif 000003
【図２】
2005027074.tif 000004
【図３】
2005027074.tif 000005
【図４】
2005027074.tif 000006
【図５】
2005027074.tif 000007
【図６】
2005027074.tif 000008